(57)【要約】【課題】ケース内に設けられた一対のリール間で記録テープを走行させる構成において、ヘッドを良好にクリーニングすることができる情報記録システム、及びこの情報記録システムを製造する際に用いるマガジンを得る。【解決手段】情報記録システム１０は、ケース１２内に設けられた一対のリール１４，１６の回転によって該ケース内で走行される記録テープＴと、ケース１２内で記録テープＴに対し情報の書き込み及び読み取りの一方を行う磁気ヘッド２０と、記録テープＴを磁気ヘッド２０から厚み方向に離隔させるテープ離隔機構２４と、記録テープＴが磁気ヘッド２０から離隔されている状態で供給リール４０に巻き取られたクリーニングテープ３８を巻き出しつつ該クリーニングテープ３８にて磁気ヘッド２０をクリーニングするクリーニング装置２２とを備えている。【選択図】図１
2012216256.tif 000002
【特許請求の範囲】
【請求項１】
ケース内に設けられた一対のリールによって該ケース内で走行され、該ケース内に設けられたヘッドに接触されながら該ヘッドによって情報の書き込み及び読み取りの少なくとも一方が行われる記録テープと、
前記ケース内における前記ヘッドに対する前記記録テープの走行方向の両側に配置され、該ヘッドのクリーニングの際に前記記録テープを前記ヘッドから厚み方向に離間させるテープ逃がし機構と、
クリーニングテープが巻き回され、前記ケース内における前記ヘッドに対し前記記録テープの走行方向の一方側に配置された供給ロールと、
前記テープ逃がし機構によって前記記録テープが前記ヘッドから厚み方向に離間された状態で、前記ヘッドが前記クリーニングテープにて擦られつつクリーニングされるように該クリーニングテープを前記供給ロールから巻き出す巻き出し機構と、
を備えた情報記録システム。
【請求項２】
ケース内に設けられた一対のリールによって該ケース内で走行され、該ケース内に設けられたヘッドに接触されながら該ヘッドによって情報の書き込み及び読み取りの少なくとも一方が行われる記録テープと、
前記ケース内における前記ヘッドに対する前記記録テープの走行方向の両側に配置され、該ヘッドのクリーニングの際に前記記録テープを前記ヘッドから厚み方向に離間させるテープ逃がし機構と、
クリーニングテープが巻き回され、前記ケース内における前記ヘッドに対し前記記録テープの走行方向の一方側に配置された供給ロールと、
前記クリーニングテープの先端に取り付けられたリーダ部材と、
前記ケース内において前記ヘッドに対し前記記録テープの走行方向の他方側に前記リーダ部材が着脱可能に配置され、前記リーダ部材が装着された状態で前記供給ロールから巻き出されつつ前記ヘッドをクリーニングする前記クリーニングテープを巻き取る巻取ロールと、
前記リーダ部材が、前記テープ逃がし機構によって前記ヘッドから離間された前記記録テープと前記ヘッドとの間を通って、前記供給ロール側の待機位置と前記巻取ロールへの装着位置との間で移動するように、該リーダ部材を前記ケース内で案内するガイド部材と、
前記リーダ部材を前記待機位置から装着位置へ移動させる駆動装置と、
を備えた情報記録システム。
【請求項３】
少なくとも前記クリーニングテープと前記供給ロールと前記リーダ部材とを含む交換ユニットが、前記ケースの外側から交換可能に構成されている請求項２記載の情報記録システム。
【請求項４】
前記ガイド部材と前記駆動装置の少なくとも一部とが前記ケースに対し着脱可能な共通のフレームに設けられている請求項２又は請求項３記載の情報記録システム。
【請求項５】
前記テープ逃がし機構の少なくとも一部は、前記フレームに設けられている請求項４記載の情報記録システム。
【請求項６】
前記駆動装置は、前記リーダ部材を前記巻取ロールの軸心部である前記装着位置で回転可能に支持し、該リーダ部材を該装着位置から待機位置へ移動させ得る構成とされている請求項２〜請求項５の何れか１項記載の情報記録システム。
【請求項７】
共通の記録テープが巻き取り繰り出し可能に連結された一対のリールと、
情報記録システムに設けられ前記記録テープに対し情報の書き込み及び読み取りの少なくとも一方を行うヘッドを、該ヘッドに接触しつつクリーニングするクリーニング装置と、
前記一対のリール及び前記クリーニング装置を、それぞれの受け渡し位置で前記情報記録システムに受け渡されるように保持する上カートリッジと、
前記上カートリッジに対し着脱可能とされ、該上カートリッジとの間に前記一対のリール及び前記クリーニング装置を収容する下カートリッジと、
を備えたマガジン。
【請求項８】
前記ヘッドから前記記録テープを厚み方向に離間させるテープ逃がし機構と、
前記テープ逃がし機構及び前記クリーニング装置を保持すると共に前記上カートリッジに離脱可能に保持されたフレームと、
をさらに備えた請求項７記載のマガジン。
【発明の詳細な説明】
【技術分野】
【０００１】
本発明は、ケース内で一対のリールに記録テープが巻き回された情報記録システム、及びこの情報記録システムを製造する際に用いるマガジンに関する。
【背景技術】
【０００２】
記録・再生時に記録テープと摺接するヘッドから記録テープを離間させつつ遥動して該ヘッドをクリーニングするクリーニング装置が、該ヘッドを収容したケース内に設けられたテープドライブが知られている。
【先行技術文献】
【特許文献】
【０００３】
【特許文献１】特開平１１−３２８６３３号公報
【発明の概要】
【発明が解決しようとする課題】
【０００４】
上記の技術では、クリーニング装置が遥動に伴ってヘッドと摺接されるため、クリーニングストロークが短い等の制約が生じる。
【０００５】
本発明は、ケース内に設けられた一対のリール間で記録テープを走行させる構成において、ヘッドを良好にクリーニングすることができる情報記録システム、及びこの情報記録システムを製造する際に用いるマガジンを得ることが目的である。
【課題を解決するための手段】
【０００６】
請求項１記載の発明に係る情報記録システムは、ケース内に設けられた一対のリールによって該ケース内で走行され、該ケース内に設けられたヘッドに接触されながら該ヘッドによって情報の書き込み及び読み取りの少なくとも一方が行われる記録テープと、前記ケース内における前記ヘッドに対する前記記録テープの走行方向の両側に配置され、該ヘッドのクリーニングの際に前記記録テープを前記ヘッドから厚み方向に離間させるテープ逃がし機構と、クリーニングテープが巻き回され、前記ケース内における前記ヘッドに対し前記記録テープの走行方向の一方側に配置された供給ロールと、前記テープ逃がし機構によって前記記録テープが前記ヘッドから厚み方向に離間された状態で、前記ヘッドが前記クリーニングテープにて擦られつつクリーニングされるように該クリーニングテープを前記供給ロールから巻き出す巻き出し機構と、を備えている。
【０００７】
請求項１記載の情報記録システムでは、記録テープに対する情報の書き込み又は読み取りの際には、一対のリールの回転によって記録テープが走行される。ヘッドは、走行する記録テープに接触しつつ、該記録テープに対する情報の書き込み又は記録テープに書き込まれている情報の読み込みを行う。ヘッドをクリーニングする際には、テープ逃がし機構によって記録テープがその厚み方向にヘッドから離間される。すると、巻き出し機構によって供給ロールからクリーニングテープが巻き出され、このクリーニングテープはヘッドを擦りつつクリーニングする。
【０００８】
本情報記録システムでは、クリーニング装置がケース内に配置されているため、該ケース内に一対のリール、ヘッドが設けられた構成において、ヘッドをクリーニングすることができる。そして、記録テープをヘッドから離間させた状態でクリーニングテープが走行しつつヘッドをクリーニングするため、ヘッドのクリーニングの範囲やストローク等が、記録テープをヘッドから離す機構の動作ストロークによって制約を受けることがない。
【０００９】
このように、請求項１記載の情報記録システムでは、ケース内に設けられた一対のリール間で記録テープを走行させる構成において、ヘッドを良好にクリーニングすることができる。
【００１０】
請求項２記載の発明に係る情報記録システムは、ケース内に設けられた一対のリールによって該ケース内で走行され、該ケース内に設けられたヘッドに接触されながら該ヘッドによって情報の書き込み及び読み取りの少なくとも一方が行われる記録テープと、前記ケース内における前記ヘッドに対する前記記録テープの走行方向の両側に配置され、該ヘッドのクリーニングの際に前記記録テープを前記ヘッドから厚み方向に離間させるテープ逃がし機構と、クリーニングテープが巻き回され、前記ケース内における前記ヘッドに対し前記記録テープの走行方向の一方側に配置された供給ロールと、前記クリーニングテープの先端に取り付けられたリーダ部材と、前記ケース内において前記ヘッドに対し前記記録テープの走行方向の他方側に前記リーダ部材が着脱可能に配置され、前記リーダ部材が装着された状態で前記供給ロールから巻き出されたクリーニングテープを巻き取る巻取ロールと、前記リーダ部材が、前記テープ逃がし機構によって前記ヘッドから離間された前記記録テープと前記ヘッドとの間を通って、前記供給ロール側の待機位置と前記巻取ロールへの装着位置との間で移動するように、該リーダ部材を前記ケース内で案内するガイド部材と、前記リーダ部材を前記待機位置から装着位置へ移動させる駆動装置と、を備えている。
【００１１】
請求項２記載の情報記録システムでは、記録テープに対する情報の書き込み又は読み取りの際には、一対のリールの回転によって記録テープが走行される。ヘッドは、走行する記録テープに接触しつつ、該記録テープに対する情報の書き込み又は記録テープに書き込まれている情報の読み込みを行う。ヘッドをクリーニングする際には、テープ逃がし機構によって記録テープがその厚み方向にヘッドから離間される。次いで、駆動装置によってリーダ部材が待機位置から装着位置へ移動される。リーダ部材が装着された巻き取りリールが回転されると、クリーニングテープは供給ロールから巻き（繰り）出されながらヘッドをクリーニングし、巻取ロールに巻き取られる。このように、供給ロールと巻取ロールとの間を走行するクリーニングテープに擦られることによって、ヘッドがクリーニングされる。
【００１２】
本情報記録システムでは、クリーニング装置がケース内に配置されているため、該ケース内に一対のリール、ヘッドが設けられた構成において、ヘッドをクリーニングすることができる。そして、記録テープをヘッドから離間させた状態でクリーニングテープが走行しつつヘッドをクリーニングするため、ヘッドのクリーニングの範囲やストローク等が、記録テープをヘッドから離す機構の動作ストロークによって制約を受けることがない。
【００１３】
このように、請求項２記載の情報記録システムでは、ケース内に設けられた一対のリール間で記録テープを走行させる構成において、ヘッドを良好にクリーニングすることができる。
【００１４】
請求項３記載の発明に係る情報記録システムは、請求項２記載の情報記録システムにおいて、少なくとも前記クリーニングテープと前記供給ロールと前記リーダ部材とを含む交換ユニットが、前記ケースの外側から交換可能に構成されている。
【００１５】
請求項３記載の情報記録システムでは、先端にリーダ部材が取り付けられたクリーニングテープが供給ロールに巻き回された交換ユニットが交換可能とされている。これにより、例えばクリーニングテープがヘッドのクリーニングより消耗された場合には、新規のクリーニングテープに取り替えることができる。
【００１６】
請求項４記載の発明に係る情報記録システムは、請求項２又は請求項３記載の情報記録システムにおいて、前記ガイド部材と前記駆動装置の少なくとも一部とが前記ケースに対し着脱可能な共通のフレームに設けられている。
【００１７】
請求項４記載の情報記録システムでは、リーダ部材を待機位置から装着位置に駆動、案内する部材の全部又は一部が共通のフレームに組み付けられている。ケースに対し容易にクリーニング機構を設けることが可能となる。
【００１８】
請求項５記載の発明に係る情報記録システムは、請求項４記載の情報記録システムにおいて、前記テープ逃がし機構の少なくとも一部は、前記フレームに設けられている。
【００１９】
請求項５記載の情報記録システムでは、さらにテープ逃がし機構が共通のフレームに組み付けられている。このため、クリーニング機構と共にテープ逃がし機構を設けることが容易になる。
【００２０】
請求項６記載の発明に係る情報記録システムは、請求項２〜請求項５の何れか１項記載の情報記録システムにおいて、前記駆動装置は、前記リーダ部材を前記巻き取りリールの軸心部である前記装着位置で回転可能に支持し、該リーダ部材を該装着位置から待機位置へ移動させ得る構成とされている。
【００２１】
請求項６記載の情報記録システムでは、リーダ部材を待機位置から装着位置に駆動した後の駆動装置は、該装着位置でリーダ部材を回転可能に支持する。これにより、リーダ部材を支持したまま巻取ロールの回転が許容される。そして、ヘッドのクリーニング後には、駆動装置によってリーダ部材を装着位置から待機位置に復帰させることができる。
【００２２】
請求項７記載の発明に係るマガジンは、共通の記録テープが巻き取り繰り出し可能に連結された一対のリールと、情報記録システムに設けられ前記記録テープに対し情報の書き込み及び読み取りの少なくとも一方を行うヘッドを、該ヘッドに接触しつつクリーニングするクリーニング装置と、前記一対のリール及び前記クリーニング装置を、それぞれの受け渡し位置で前記情報記録システムに受け渡されるように保持する上カートリッジと、前記上カートリッジに対し着脱可能とされ、該上カートリッジとの間に前記一対のリール及び前記クリーニング装置を収容する下カートリッジと、を備えている。
【００２３】
請求項７記載のマガジンは、一対のリールを情報記録システムのケースに組み込む際に使用される。具体的には、マガジンの下カートリッジを上カートリッジから取り外し、上カートリッジを情報記録システムの受け部にセットすると、一対のリール及びクリーニング装置が情報記録システムの受け部に対しそれぞれの受け渡し位置に位置決めされる。この状態で、一対のリール及びクリーニング装置を情報記録システムに受け渡し、上カートリッジへの保持状態を解除する。これにより、一対のリール及びクリーニング装置を容易に情報システムの受け部に組み付けることができる。すなわち、情報記録システムの製造が簡素化される。
【００２４】
請求項８記載の発明に係るマガジンは、請求項７記載のマガジンにおいて、前記ヘッドから前記記録テープを厚み方向に離間させるテープ逃がし機構と、前記テープ逃がし機構及び前記クリーニング装置を保持すると共に前記上カートリッジに離脱可能に保持されたフレームと、をさらに備えた。
【００２５】
請求項８記載のマガジンでは、クリーニング装置とテープ逃がし機構とが共通のフレームに支持されているので、テープ逃がし機構をクリーニング装置と共に容易に情報システムの受け部に組み付けることができる。すなわち、情報記録システムの製造が簡素化される。
【発明の効果】
【００２６】
以上説明したように本発明に係る情報記録システムは、ケース内に設けられた一対のリール間で記録テープを走行させる構成において、ヘッドを良好にクリーニングすることができるという優れた効果を有する。
【図面の簡単な説明】
【００２７】
【図１】本発明の実施形態に係る情報記録システムの概略全体構成を示す斜視図である。
【図２】本発明の実施形態に係る情報記録システムを構成するヘッドクリーニングアセンブリを示す斜視図である。
【図３】本発明の実施形態に係る情報記録システム内の一部、及びヘッドクリーニングアセンブリを模式的に示す断面図である。
【図４】本発明の実施形態に係る情報記録システムを構成するヘッドクリーニングアセンブリを示す平面図である。
【図５】本発明の実施形態に係る情報記録システムを構成するクリーニング装置を示す図であって、（Ａ）はリーダピンが待機位置に位置する状態の平面図、（Ｂ）はリーダピンが装着位置に位置する状態の平面図である。
【図６】本発明の実施形態に係る情報記録システムを構成するヘッドクリーニングアセンブリの動作を説明する図であって、（Ａ）は記録テープに対する情報の読み書き状態を示す斜視図、（Ｂ）はクリーニングの準備状態を示す斜視図、（Ｃ）はクリーニングテープによる磁気ヘッドのクリーニング状態を示す斜視図である。
【図７】本発明の実施形態に係る情報記録システムを構成するリーダピン着脱機構４６によるリーダピンの保持状態を説明するための図であって、（Ａ）は拡大平面図、（Ｂ）は図７（Ａ）７Ｂ−７Ｂ線に沿った断面図である。
【図８】本発明の実施形態に係る情報記録システムを製造する際に用いるマガジンを示す図であって、（Ａ）はマガジンが機構部への組み付け位置に運搬されてきた状態を模式的に示す断面図、（Ｂ）はマガジンを用いてリール及びヘッドクリーニングアセンブリを機構部に組み付ける工程を模式的に示す断面図である。
【発明を実施するための形態】
【００２８】
本発明の実施形態に係る情報記録システム１０について、図１〜図７に基づいて説明する。なお、説明の便宜上、矢印ＵＰを上方向、矢印ＤＮを下方向とする。
【００２９】
（情報記録システムの概略全体構成）
図１に示される如く、情報記録システム１０は、ケース１２と、ケース１２に内に収容された一対のリール１４、１６とを備えている。ケース１２には、リール１４、１６をユーザ等が出し入れするための開口部が形成されておらず、リール１４、１６は、情報の記録又は再生時、保管時を含む常時、ケース１２内で収容されている。
【００３０】
リール１４には、情報記録再生媒体としての磁気テープ等の記録テープＴが繰り出し可能に巻き回されており、リール１６には、記録テープＴの端部が巻き取り可能に接続されている。情報記録システム１０では、上下方向に沿った回転軸周りに回転するリール１４から繰り出された記録テープＴが上下方向に沿った回転軸周りに回転するリール１６によって巻き取られ、またリール１６からリール１４に記録テープＴが巻き戻されるようになっている。すなわち、リール１４は、記録テープＴの繰り出し用リールとされ、リール１６は、記録テープＴの巻き取り用のリールとされ、これらは記録テープＴの巻き方向が逆向きとされている。
【００３１】
図３に示される如く、リール１４、１６は、ケース１２内に設けられた回転部材１４Ａ、１６Ａに一体回転するように固定的に結合されている。なお、図３は、後述するヘッドクリーニングアセンブリ２８が装着される前の情報記録システム１０の一部を模式的に示す断面図である。回転部材１４Ａ、１６Ａは、ケース１２の底部を成すドライブベース１２Ａに設けられ、それぞれの直下でドライブベース１２Ａに設けられた図示しないモータに直結されている。これらの回転部材１４Ａ、１６Ａは、後述する磁気ヘッド２０を通過する記録テープＴの走行速度が略一定となるように同期して回転駆動されるようになっている。
【００３２】
また、図１に示される如く、ケース１２内には、複数のテープガイド１８が設けられており、該複数のテープガイド１８は、ケース１２内において記録テープＴの走行経路（図４の矢印Ａ参照）を規定している。ケース１２内における複数のテープガイド１８で規定された記録テープＴの走行経路の中央部（隣り合う２つのテープガイド１８間の部分）には、ヘッドとしての磁気ヘッド２０が設けられている。磁気ヘッド２０は、記録テープＴに対する情報の記録（書き込み）、記録テープＴに記録された情報の再生（読み取り）の少なくとも一方を行う構成とされている。
【００３３】
この実施形態に係る情報記録システム１０では、磁気ヘッド２０は、上記走行経路を走行する記録テープＴと摺接しつつ、該記録テープＴへの情報の記録、該記録テープＴに既得された情報の再生を行い得る構成とされている。以上により、情報記録システム１０は、記録テープＴ（が巻き回されたリール１４、１６）を交換することなく、内蔵した記録テープＴの記録容量の範囲内で、該記録テープＴに対する情報の記録、再生を行う構成とされている。
【００３４】
このようにケース１２に対し記録テープＴの出し入れが行われない情報記録システム１０では、ケース１２内に磁気ヘッド２０をクリーニングするためのクリーニング装置２２が内蔵されている。また、ケース１２内には、クリーニング装置２２によってケース１２内に磁気ヘッド２０をクリーニングする際に記録テープＴを磁気ヘッド２０から離間させるテープ逃がし機構としてのテープ離隔機構２４が内蔵されている。
【００３５】
この実施形態では、クリーニング装置２２及びテープ離隔機構２４は、ドライブベース１２Ａに対し着脱可能なフレーム２６に組み付けられてヘッドクリーニングアセンブリ２８を構成している。以下、これらについて具体的に説明する。
【００３６】
（フレームの構成）
図２に示される如く、フレーム２６は、ドライブベース１２Ａ上に載せられる底板２６Ｌと、底板２６Ｌの上面に対向する天板２６Ｕと、これら底板２６Ｌ及び天板２６Ｕを連結する側壁２６Ｓとを主要部として構成されている。底板２６Ｌは、磁気ヘッド２０を記録テープＴの走行経路側から囲むように切欠部２６Ｃが形成されて平面視で略「コ」字状を成している。天板２６Ｕは、平面視で略矩形状に形成されている。側壁２６Ｓは、天板２６Ｕと底板２６Ｌとを記録テープＴの走行経路側とは反対側において繋いでいる。
【００３７】
このフレーム２６は、底板２６Ｌがドライブベース１２Ａに形成された凹部１２Ｂに収容されるようにして位置決め状態でドライブベース１２Ａに取り付けられている。この状態で磁気ヘッド２０は、底板２６Ｌの切欠部２６Ｃ内に位置している。天板２６Ｕと底板２６Ｌとの対向間隔は、記録テープＴの幅に対し十分に大とされている。
【００３８】
（テープ離隔機構の構成）
図２及び図４に示される如く、テープ離隔機構２４は、記録テープＴの厚み方向における磁気ヘッド２０側に配置された一対の押圧ロール３０を備えている。押圧ロール３０は、磁気ヘッド２０に対し記録テープＴの走行方向の上流側及び下流側のそれぞれに配置されている。各押圧ロール３０は、記録テープＴの走行経路から磁気ヘッド２０側に離間した離間位置と、記録テープＴを磁気ヘッド２０側から記録テープＴの厚み方向（図４の矢印Ｂ方向）押圧する押圧位置とを取り得る構成とされている。
【００３９】
これにより、記録テープＴは、押圧ロール３０が離間位置に位置する状態でテープガイド１８のみに巻き掛けられて磁気ヘッド２０との接触（可能と）される読み書き許容位置に位置され（図６（Ａ）参照）、押圧ロール３０が押圧位置に位置する状態で磁気ヘッド２０に対し厚み方向に離隔された離隔位置に位置される（図６（Ｂ）参照）ようになっている。
【００４０】
また、テープ離隔機構２４は、押圧ロール３０を離間位置と押圧位置との間で駆動する離隔駆動部３２を備えている。この実施形態では、離隔駆動部３２は、各押圧ロール３０の上下端を一端側で回転可能に支持する上下一対のアーム３４を有して構成されている。上下一対のアーム３４は、押圧ロール３０に対して磁気ヘッド２０から遠い側である他端側において、連結軸３４Ａにて一体回転可能に連結されると共に、該連結軸３４Ａ周りに回転可能にフレーム２６に支持されている。なお、連結軸３４Ａを設けず、上側のアーム３４をフレーム２６の天板２６Ｕに支持させる構成としても良い。
【００４１】
各一対のアーム３４は、図２に示される駆動モータ３６によって駆動力が付与されることで、押圧ロール３０を離間位置と押圧位置との間で駆動するようになっている。この実施形態では、駆動モータ３６はドライブベース１２Ａ側に設けられており、フレーム２６をドライブベース１２Ａに装着すると駆動モータ３６の回転軸３６Ａが下側のアーム３４に対し駆動力の伝達可能に連結されるようになっている。
【００４２】
なお、テープ離隔機構２４の離隔駆動部３２としては、押圧ロール３０を矢印Ｂ方向に直線的に押圧する構造、押圧ロール３０を該押圧ロール３０に対し記録テープＴを挟んで反対側から引っ張る構造、押圧ロール３０の往復動作の一方をスプリング等の付勢力にて行う構造等を採用し得る。ただし、後述する如く一対の押圧ロール３０がクリーニングテープ３８の供給リール４０と巻取リール４２との間に配置される構成においては、離隔駆動部３２がクリーニングテープ３８の走行を邪魔しない構成の採用が要求される。
【００４３】
（クリーニング装置の構成）
クリーニング装置２２は、記録テープＴが離隔位置に位置する状態で、クリーニングテープ３８を磁気ヘッド２０に巻き掛けつつ該クリーニングテープ３８を水平方向（略矢印Ａ方向）に走行させることで、磁気ヘッド２０を擦りながらクリーニングする構成とされている。
【００４４】
具体的には、図２に示される如く、クリーニング装置２２は、クリーニングテープ３８を繰り出し可能に巻き回した供給ロールとしての供給リール４０と、供給リール４０から繰り出されたクリーニングテープ３８を巻き取る巻取ロールとしての巻取リール４２と、供給リール４０に巻き回されたクリーニングテープ３８の先端に取り付けられたリーダ部材としてのリーダピン４４と、リーダピン４４を巻取リール４２に対し着脱させるリーダピン着脱機構４６とを主要部として構成されている。
【００４５】
供給リール４０は、巻軸４０Ａの両端にフランジ４０Ｂが設けられており、巻軸４０Ａに所要の長さを有するクリーニングテープ３８が巻き回されている。リーダピン４４は、クリーニングテープ３８の幅よりも長い軸部４４Ａの上端にフランジ４４Ｂが形成されており、クリーニングテープ３８は幅方向両端から長い軸部４４Ａの端部が突出するように、該長い軸部４４Ａに連結されている。
【００４６】
この実施形態では、クリーニングテープ３８が巻き回された供給リール４０とリーダピン４４とで、交換可能な交換ユニットとしてのクリーニングテープアセンブリ４８が構成されている。図示は省略するが、フランジ４０Ｂには、リーダピン４４を係止する切欠部等を形成しても良い。この構成により、クリーニングテープアセンブリ４８の交換が容易になる。また、クリーニングテープアセンブリ４８は、供給リール４０及びリーダピン４４を保持するホルダを有して構成されても良い。
【００４７】
このクリーニングテープアセンブリ４８は、フレーム２６における磁気ヘッド２０に対する記録テープＴの走行方向の上流側（この実施形態では押圧ロール３０よりも上流側）で、供給リール４０が回転可能に支持されている。この実施形態では、天板２６Ｕには供給リール４０の通過可能な貫通孔５２が形成されている。供給リール４０は、貫通孔５２を通過した状態で、後述する駆動モータ６２における底板２６Ｌ上に突出された駆動軸６２Ａに同軸的かつ一体に回転するように支持される構成とされている。すなわち、交換部品であるクリーニングテープアセンブリ４８の供給リール４０は、フレーム２６には直接的に支持されない簡素な構成とされている。
【００４８】
一方、巻取リール４２は、フレーム２６における磁気ヘッド２０に対する記録テープＴの走行方向の下流側（この実施形態では押圧ロール３０よりも下流側）で回転可能に支持されている。巻取リール４２には、リーダピン４４の軸部４４Ａが装着される凹部４２Ａが形成されている。凹部４２Ａは、軸部４４Ａが巻取リール４２の軸心部に装着されるように、軸部４４Ａの径と略幅の溝部の末端が巻取リール４２の軸心で軸部４４Ａと同径の円弧状に丸められている。
【００４９】
この供給リール４０側から巻取リール４２側へリーダピン４４を着脱させるリーダピン着脱機構４６は、該リーダピン４４を供給リール４０と巻取リール４２との間でガイドするガイド溝５０を有する。ガイド溝５０は、フレーム２６の底板２６Ｌに形成されて軸部４４Ａの下端をガイドする下ガイド溝５０Ｌと、後述するアームを介して軸部４４Ａの上部をガイドするように天板２６Ｕに形成された上ガイド溝５０Ｕとを有する。
【００５０】
上ガイド溝５０Ｕ及び下ガイド溝５０Ｌは、図４に示される如く、平面視で矢印Ｂ側に凸となるように一対の円弧が矢印Ａ方向に沿う直線にて繋がれた如く形成されている。図７（Ａ）に示される如く、上ガイド溝の供給リール４０側の端部は、スリット５４を介して貫通孔５２に連設されている。これにより、クリーニングテープアセンブリ４８を装着する際には、供給リール４０、クリーニングテープ３８、リーダピン４４が貫通孔５２、５４、ガイド溝５０を通じて天板２６Ｕと底板２６Ｌとの間には進入されるようになっている。
【００５１】
リーダピン４４は、上ガイド溝５０Ｕ、下ガイド溝５０Ｌによってガイドされることで、磁気ヘッド２０に対する供給リール４０側の待機位置と、巻取リール４２に装着される装着位置との間を移動するようになっている。装着位置でリーダピン４４は、上記の通り軸部４４Ａを巻取リール４２の軸心に位置させるようになっている。そして、図２に示される如く、巻取リール４２は、後述する駆動モータ６４における底板２６Ｌ上に突出された駆動軸６４Ａに同軸的かつ一体に回転する連結されている。
【００５２】
これにより、クリーニング装置２２は、リーダピン４４が装着位置に位置する状態で巻取リール４２及び供給リール４０を同期させつつ回転駆動させると、クリーニングテープ３８が供給リール４０から繰り出されつつ巻取リール４２に巻き取られる構成である。
【００５３】
このようにして矢印Ａ方向に略沿って走行するクリーニングテープ３８が巻き掛かって磁気ヘッド２０がクリーニングされるように、供給リール４０、巻取リール４２の最大巻時の外周は、読み書き許容位置に位置する記録テープＴ（の走行経路）に対し、該記録テープＴの厚み方向で磁気ヘッド２０側に位置している。この構造は、走行する記録テープＴに対し供給リール４０（クリーニングテープ３８）が干渉しないための配置によって構成されている。
【００５４】
図２及び図４に示される如く、リーダピン着脱機構４６は、フレーム２６に対し上下方向の軸周りに回転可能に支持された第１アーム５６と、第１アーム５６の他端に相対回転可能に連結された第２アーム５８とを有する。図７（Ｂ）に示される如く、第２アーム５８の先端部には、上ガイド溝５０Ｕに入り込んで該上ガイド溝５０Ｕにてガイドされる被ガイド部５８Ａが設けられている。
【００５５】
これにより、リーダピン着脱機構４６では、第１アーム５６が図４の矢印Ｃ方向に回転されると、被ガイド部５８Ａが上ガイド溝５０Ｕにガイドされつつ該上ガイド溝５０Ｕの供給リール４０側の端部（図５（Ａ）参照）から巻取リール４２側の端部（図５（Ｂ）参照）まで移動されるようになっている。また、第１アーム５６が図４の矢印Ｃ方向とは反対向きの矢印Ｄ方向に回転されると、被ガイド部５８Ａが上ガイド溝５０Ｕにおける巻取リール４２側の端部から供給リール４０側の端部まで移動されるようになっている。第１アーム５６と第２アーム５８とは、相対回転することで被ガイド部５８Ａが上ガイド溝５０Ｕの直線部を通過するのを許容する構成とされている。
【００５６】
図７（Ａ）に示される如く、第２アーム５８における被ガイド部５８Ａを含む先端部には、リーダピン４４の軸部４４Ａが挿通される貫通孔５８Ｂと、クリーニングテープ３８の通過を許容するスリット５８Ｃとが形成されている。第２アーム５８は、被ガイド部５８Ａが上ガイド溝５０Ｕの供給リール４０側の端部に位置する状態では、スリット５８Ｃが平面視でスリット５４に一致するように構成されている。これにより、供給リール４０を貫通孔５２に通しながら、リーダピン４４の軸部４４Ａを貫通孔５８Ｂに挿入する際に、クリーニングテープ３８がスリット５８Ｃ、５４を通過するようになっている。
【００５７】
軸部４４Ａがスリット５８Ｃに挿入されたリーダピン４４は、該軸部４４Ａの下端が下ガイド溝５０Ｌに挿入されると共に、フランジ４４Ｂが第２アーム５８上に載置されるようになっている。すなわち、リーダピン４４は第２アーム５８の先端に保持される構成である。なお、スリット５８Ｃの幅は貫通孔５８Ｂの直径よりも小とされており、軸部４４Ａがスリット５８Ｃ側に位置ずれすることがない構成とされている。
【００５８】
このように第２アーム５８の先端に保持されたリーダピン４４は、被ガイド部５８Ａが上ガイド溝５０Ｕの両端間を移動することで、上記した供給リール４０側に位置する待機位置と、巻取リール４２の凹部４２Ａに装着された装着位置との間を移動する構成となっている。リーダピン４４が装着位置に位置する状態において、図５（Ｂ）に示される如く第２アーム５８はリーダピン４４を保持する状態に維持されるようになっている。すなわち、貫通孔５８Ｂに軸部４４Ａが挿入されることで、リーダピン４４は、該軸部４４Ａが巻取リール４２の軸心で回転するのが許容される構成とされている。
【００５９】
第１アーム５６からはドライブベース１２Ａに向けて被駆動軸６０が延びている。被駆動軸６０は、フレーム２６がドライブベース１２Ａに装着されると、後述する駆動モータの駆動軸６６Ａに連結されるようになっている。第１アーム５６は、駆動モータ６６の駆動力によって矢印Ｃ、矢印Ｄ方向に回転されるようになっている。
【００６０】
以上説明したクリーニング装置２２では、ガイド溝５０が設けられたフレーム２６が本発明のガイド部材に相当する。また、第１アーム５６、第２アーム５８、被駆動軸６０、及び駆動モータ６６が本発明の駆動装置に相当する。さらに、巻取リール４２、駆動モータ６４、ガイド溝５０が設けられたフレーム２６、第１アーム５６、第２アーム５８、被駆動軸６０、及び駆動モータ６６が本発明の巻き出し機構に相当する。
【００６１】
（ヘッドクリーニングアセンブリの補足）
以上説明した如く、ヘッドクリーニングアセンブリ２８は、フレーム２６にクリーニング装置２２及びテープ離隔機構２４（の機能）が組み込まれて構成されている。この実施形態では、アーム３４、供給リール４０、巻取リール４２、第１アーム５６の被駆動軸６０は、それぞれ図２に示される如くドライブベース１２Ａ側に設けられた駆動モータ３６、６２、６４、６６にて駆動されるようになっている。
【００６２】
なお、これら駆動モータ３６、６２、６４、６６の一部又は全部をフレーム２６に組み込む構成としても良い。この場合、例えば、フレーム２６のドライブベース１２Ａへの装着に伴ってフレーム２６側の駆動モータの電気接点がドライブベース１２Ａ側の電気接点と導通される構成とすることができる。
【００６３】
また、上記した通り、情報記録システム１０では、クリーニングテープアセンブリ４８が交換可能とされている。このため、ケース１２におけるドライブベース１２Ａと対向する上壁１２Ｃには、図示しない開口部と、該開口部を開閉するドア部材とが設けられている。開口部はクリーニングテープアセンブリ４８が通過可能な寸法形状を有すれば足りる。一方、ドア部材は、クリーニングテープアセンブリ４８が通過可能な開度まで開口部を開く状態と、該開口部を閉止する状態とを取り得る構成であれば足りる。ドア部材としては、例えばヒンジドア、直線又は回転スライドドア等を採用することができる。
【００６４】
（マガジンの構成）
以上説明した情報記録システム１０は、記録テープＴ、リール１４、１６、及びヘッドクリーニングアセンブリ２８を有しないドライブベース１２Ａに対し、記録テープＴ、リール１４、１６、及びヘッドクリーニングアセンブリ２８（クリーニングテープアセンブリ４８を除いたものでも良い）、及びケース１２を組み付けて構成（製造）されるようになっている。この実施形態では、記録テープＴ、リール１４、１６、及びヘッドクリーニングアセンブリ２８は、ドライブベース１２Ａへの組み付け前に、共通のカートリッジ７２に組み付けられてマガジン７０を構成している。以下、具体的に説明する。
【００６５】
図８（Ａ）に示される如く、カートリッジ７２は、上カートリッジ７２Ｕと下カートリッジ７２Ｌとの接合により成る。下カートリッジ７２Ｌは、上カートリッジ７２Ｕに対し着脱可能とされている。リール１４、１６は、上カートリッジ７２Ｕに対し、回転ハンドル７４を介して回転可能に支持されている。各回転ハンドル７４は、図示しない共通のロック部材にてケース１２に対する回転が規制ロックされている。これにより、カートリッジ７２内での記録テープＴの弛みや過緊張が抑制されている。
【００６６】
また、リール１４、１６は、押さえ部材７６と下カートリッジ７２Ｌの押さえ部７２ＬＡとの間で上下に挟み込まれている。これにより、リール１４、１６の上下のフランジ１４Ｆ、１６Ｆがカートリッジ７２の内面に干渉しない構成とされている。下カートリッジ７２Ｌは、押さえ部材７６を通じて押さえ部７２ＬＡにねじ込まれた押さえねじ７８によって、上カートリッジ７２Ｕに保持されている。図示は省略するが、押さえ部材７６は、下カートリッジ７２Ｌの取り外し状態で、リール１４、１６を上カートリッジ７２Ｕに対し保持（抜け止め）する係合爪を有する。
【００６７】
上カートリッジ７２Ｕには、ドライブベース１２Ａの位置決めピン８０が嵌合して位置決めされる位置決め孔７２ＵＡが形成されている。位置決め孔７２ＵＡにおいてドライブベース１２Ａに対し位置決めされた上カートリッジ７２Ｕは、保持したリール１４、１６を回転部材１４Ａ、１６Ａに嵌合する受け渡し位置に位置させるように寸法形状が決められている。この受け渡し位置でリール１４、１６は、図３に示される如くビス８２によって回転部材１４Ａ、１６Ａに固定される構成である。
【００６８】
また、上カートリッジ７２Ｕには、ヘッドクリーニングアセンブリ２８がビス８４にて保持されている。ヘッドクリーニングアセンブリ２８のリール１４、１６との相対位置は、情報記録システム１０（ドライブベース１２Ａ上）におけるヘッドクリーニングアセンブリ２８のリール１４、１６との相対位置と同じに設定されている。すなわち、ヘッドクリーニングアセンブリ２８は、上カートリッジ７２Ｕが位置決め孔７２ＵＡにおいて位置決めピン８０により位置決めされた状態で、ドライブベース１２Ａへの受け渡し位置に位置されるようになっている。
【００６９】
この実施形態におけるドライブベース１２Ａに対するヘッドクリーニングアセンブリ２８の受け渡し位置は、フレーム２６の底板２６Ｌがドライブベース１２Ａの凹部１２Ｂに嵌入されると共に、各駆動モータ３６、６２、６４、６６の回転軸３６Ａ、６２Ａ、６４Ａ、６６Ａが対応する被駆動部材に連結される位置とされる。そして、ビス８４による上カートリッジ７２Ｕへの保持が解除されたヘッドクリーニングアセンブリ２８は、図示しないビス等によってドライブベース１２Ａに固定的に保持されるようになっている。
【００７０】
以上説明したように、マガジン７０は、カートリッジ７２に、少なくともリール１４、リール１６、及びヘッドクリーニングアセンブリ２８が組み込まれて構成されている。また、この実施形態では、テープ離隔機構２４の押圧ロール３０は、カートリッジ７２の上カートリッジ７２Ｕに形成された図示しない係合部に係合されることで押圧位置に保持されている。したがって、マガジン７０において記録テープＴは離隔位置で保持される構成である。ヘッドクリーニングアセンブリ２８のドライブベース１２Ａへの受け渡し後に、リール１４、１６を同期して記録テープＴの緊張方向に駆動すると共に、押圧ロール３０を離間位置に移動させることで、記録テープＴがテープガイド１８に巻き掛けられる構成とされている。
【００７１】
次に、本実施形態の作用を説明する。
【００７２】
上記構成の情報記録システム１０の製造の際には、ドライブベース１２Ａを準備する工程と、図８（Ａ）に示される如きマガジン７０をドライブベース１２Ａへの組み込み位置へ運搬する工程とを経る。この運搬の工程において、記録テープＴを含むリール１４、１６がカートリッジ７２に保持されているため、記録テープＴ、リール１４、１６（フランジ１４Ｆ、１６Ｆ）が保護される。
【００７３】
上記運搬の工程の後、図８（Ｂ）に示される如く、カートリッジ７２の上カートリッジ７２Ｕから下カートリッジ７２Ｌを取り外し、上カートリッジ７２Ｕの位置決め孔７２ＵＡに位置決めピン８０が嵌合（挿入）されるように上カートリッジ７２Ｕをドライブベース１２Ａ上にセットする。すると、リール１４、１６、クリーニングテープアセンブリ２８は、それぞれの受け渡し位置で位置決めされる。
【００７４】
この状態で、押さえ部材７６によるリール１４、１６の保持状態を解除すると共に、ロック部材による各回転ハンドル７４の回転ロックを解除する。次いで、各回転ハンドル７４を回転させてリール１４、１６の回転位相を回転部材１４Ａ、１６Ａの位相に合わせ（ビス８２のビス孔の位置を一致させ）、ビス８２にてリール１４、１６を回転部材１４Ａ、１６Ａに固定する。
【００７５】
一方、ヘッドクリーニングアセンブリ２８は、上記した上カートリッジ７２Ｕのドライブベース１２Ａへのセットに伴って、フレーム２６の底板２６Ｌが凹部１２Ｂに嵌入されると共に、各駆動モータ３６、６２、６４、６６の回転軸３６Ａ、６２Ａ、６４Ａ、６６Ａにアーム３４、供給リール４０、巻取リール４２、被駆動軸６０が連結される。この状態からビス８４によるヘッドクリーニングアセンブリ２８（天板２６Ｕ）の上カートリッジ７２Ｕへの保持状態を解除する。そして、上カートリッジ７２Ｕを取り除いた後に、フレーム２６を図示しないビスにてドライブベース１２Ａに固定する。
【００７６】
この状態で、ケース１２の上壁１２Ｃを含む上側部材をドライブベース１２Ａに被せて、情報記録システム１０が製造される。なお、記録テープＴの初期（通常）位置を読み書き許容位置とする場合には、リール１４、１６を同期して記録テープＴの緊張方向に駆動すると共に、押圧ロール３０を離間位置に移動させる。これにより、記録テープＴは離隔位置からテープガイド１８に巻き掛けられる読み書き許容位置に移動される。
【００７７】
この情報記録システム１０では、記録テープＴへの情報の記録、又は記録テープＴからの情報の再生に際には、リール１４、リール１６が同期して回転駆動される。すると、図４の実線及び破線、図６（Ａ）にて示される如く、記録テープＴは、読み書き許容位置においてテープガイド１８にて規定される走行経路を矢印Ａ方向に走行し、磁気ヘッド２０によって情報が書き込まれ、又は情報が読み取られる。
【００７８】
この情報の書き込み、読み取りによって磁気ヘッド２０は汚れる。この汚れを落とす要求があった場合には、先ず記録テープＴの走行が停止され、又は停止状態が維持される。次いで、テープ離隔機構２４が作動される。すなわち、駆動モータ３６によってアーム３４が駆動されることで、押圧ロール３０が離間位置から図４の想像線、図６（Ｂ）に示される押圧位置に移動される。この際、リール１４、１６は記録テープＴの張力が緩む方向に駆動される。これにより、記録テープＴは、張力が略一定に保たれつつ読み書き許容位置から離隔位置へ移動され、磁気ヘッド２０に対し厚み方向に離間される。
【００７９】
次いで、駆動モータ６６によって被駆動軸６０が矢印Ｃ方向に回転される。すると、第２アーム５８の先端に保持されたリーダピン４４は供給リール４０側の待機位置（図５（Ａ）、図６（Ａ）参照）から、図６（Ｂ）に示される中途位置を経て、図５（Ｂ）及び図６（Ｃ）に示される如く巻取リール４２に装着される装着位置に至る。これにより、クリーニングテープ３８が磁気ヘッド２０に巻き掛けられる。
【００８０】
この状態から駆動モータ６２、６４によって供給リール４０、巻取リール４２が同期して回転駆動されると、クリーニングテープ３８は、供給リール４０から繰り出されつつ巻取リール４２に巻き取られ、磁気ヘッド２０を擦りながら該磁気ヘッド２０をクリーニングする。
【００８１】
クリーニング（又はクリーニングの半分）が終了すると、駆動モータ６２、６４によって供給リール４０、巻取リール４２が同期して逆回転駆動され、クリーニングテープ３８は供給リール４０に巻き戻される。この巻き戻しの際にも磁気ヘッド２０がクリーニングテープ３８によりクリーニングされる（残りの半分のクリーニングが行われる）ものと捉えても良い。
【００８２】
クリーニングテープ３８が供給リール４０に巻き戻されると、駆動モータ６６によって第１アーム５６が矢印Ｄ方向に回転される。すると、第２アーム５８の先端に保持されたリーダピン４４は、ガイド溝５０にガイドされつつ装着位置から待機位置に復帰する。次いで、駆動モータ３６によってアーム３４が逆回転駆動されると、供給リール４０が押圧位置から離間位置に復帰する。この際、リール１４、１６が同期して記録テープＴを緊張する方向に回転されることで、記録テープＴは離隔位置から読み書き許容位置に復帰する。
【００８３】
なお、テープ離隔機構２４は、磁気ヘッド２０による記録テープＴへの情報の記録、又は記録テープＴからの情報の再生を行う場合以外には、記録テープＴを離隔位置に保持する構成としても良い。この構成では、例えば単なる記録テープＴのリール１４、１６間での繰り出し巻き取り、巻き戻しの際等に、記録テープＴと磁気ヘッド２０とが擦れることがない。このため、該記録テープＴと磁気ヘッド２０との擦れに起因して磁気ヘッド２０が汚れることが抑制される。また、磁気ヘッド２０のクリーニング装置２２によるクリーニング回数（クリーニングテープアセンブリ４８の交換頻度）の低減にも寄与する。
【００８４】
（クリーニングテープアセンブリの交換）
磁気ヘッド２０のクリーニングに伴ってクリーニングテープ３８が消耗された（と判断される）場合、クリーニングテープアセンブリ４８を交換する。先ず、ドア部材を移動して上壁１２Ｃの開口部を開放させる。この状態から工具等を用いて、クリーニングテープ３８がスリット５４、スリット５８Ｃを通過するように、供給リール４０を貫通孔５２経由で抜き出すと共にリーダピン４４を貫通孔５８Ｂから抜き出す。すなわち、消耗したクリーニングテープアセンブリ４８を排出する。
【００８５】
そして、新規の或いは消耗状態から回復されたクリーニングテープアセンブリ４８を、上壁１２Ｃに形成された図示しない開口部からケース１２内に挿入する。具体的には、クリーニングテープ３８がスリット５４、スリット５８Ｃを通過するように、供給リール４０を貫通孔５２に挿入すると共にリーダピン４４を貫通孔５８Ｂに挿入する。これにより、供給リール４０は駆動モータ６２の駆動軸６２Ａに連結され、リーダピン４４は第２アーム５８に保持される。すなわち、リーダピン４４が待機位置に位置するクリーニング準備状態とされる。
【００８６】
ここで、情報記録システム１０では、クリーニング装置２２がケース１２内に配置されているため、該ケース１２内に一対のリール１４、１６、磁気ヘッド２０が外部からのアクセス（出し入れを含む）ができないように設けられた構成において、磁気ヘッド２０をクリーニングすることができる。
【００８７】
そして、記録テープＴを磁気ヘッド２０から離間させた状態でクリーニングテープ３８が走行しつつ磁気ヘッド２０をクリーニングする構成であるため、磁気ヘッド２０のクリーニングの範囲やストローク等が、記録テープＴを磁気ヘッド２０から離す機構の動作ストローク等によって制約を受けることがない。換言すれば、情報記録システム１０では、テープ離隔機構２４により記録テープＴを読み書き許容位置から離隔位置へ移動する動作と、クリーニングテープ３８による磁気ヘッド２０のクリーニング動作とが独立した動作であるため、テープ離隔機構２４の動作ストロークに依存することなく、クリーニングテープ３８の走行により磁気ヘッド２０をクリーニングすることができる。
【００８８】
このように、本実施形態に係る情報記録システム１０では、ケース１２内に設けられた一対のリール１４、１６間で記録テープＴを走行させる構成において、磁気ヘッド２０を良好にクリーニングすることができる。
【００８９】
また、情報記録システム１０では、クリーニングテープアセンブリ４８の交換が可能とされている。これにより、クリーニングテープ３８が磁気ヘッド２０のクリーニングよって消耗された場合には、新規の又は消耗回復後のクリーニングテープ３８を有するクリーニングテープアセンブリ４８に取り替えることができる。
【００９０】
さらに、情報記録システム１０では、クリーニング装置２２の主要部（駆動モータ６２、６４、６６を除く部分）がフレーム２６に組み付けられている。クリーニング装置２２のドライブベース１２Ａへの組み付けが容易である。特に、情報記録システム１０では、テープ離隔機構２４の主要部（駆動モータ３６を除く部分）が上記クリーニング装置２２と共通のフレーム２６に組み付けられている。これにより、クリーニング装置２２を設ける場合に、テープ離隔機構２４を共に設けることが容易になる。すなわち、テープ離隔機構２４及びクリーニング装置２２の設置が容易になる。すなわち、テープ離隔機構２４及びクリーニング装置２２の設置が容易になる。
【００９１】
また、情報記録システム１０では、リーダピン着脱機構４６によってリーダピン４４の巻取リール４２への装着（装着位置への移動）、及び装着位置から待機位置への復帰が可能である。このため、クリーニングテープアセンブリ４８の設置（交換）、排出（抜き出し）が共に容易である。また、クリーニングテープアセンブリ４８の交換用の開口部、ドア部材の小型化にも寄与する。
【００９２】
またさらに、情報記録システム１０では、その製造の際にマガジン７０が用いられる。これにより、リール１４、１６の組み付けが容易とされる他、クリーニング装置２２及びテープ離隔機構２４を含むヘッドクリーニングアセンブリ２８を容易に機構部５０（の支持駆動機構３２）に組み付けることができる。
【００９３】
なお、上記した実施形態では、クリーニングテープ３８を含むクリーニングテープアセンブリ４８が交換可能である例を示したが、本発明はこれに限定されず、例えば、クリーニングテープ３８の交換ができない構成であっても良い。この場合、クリーニングテープ３８、供給リール４０、リーダピン４４がアセンブリ化されていない構成としても良い。
【００９４】
また、上記した実施形態では、クリーニング装置２２及びテープ離隔機構２４がドライブベース１２Ａに対し着脱可能なフレーム２６に組み付けられた例を示したが、本発明はこれに限定されず、例えば、クリーニング装置２２、テープ離隔機構２４の一方又は双方（の主要部）がドライブベース１２Ａを含む１２に直接的に組み込まれた構成としても良い。
【符号の説明】
【００９５】
１０      情報記録システム
１２      ケース
１４、１６リール
２０      磁気ヘッド（ヘッド）
２２      クリーニング装置
２４      テープ離隔機構（テープ逃がし機構）
２６      フレーム（ガイド部材、巻き出し機構）
３８      クリーニングテープ
４０      供給リール（供給ロール）
４２      巻取リール（巻取ロール、巻き出し機構）
４４      リーダピン（リーダ部材）
４６      リーダピン着脱機構（駆動装置）
４８      クリーニングテープアセンブリ（交換ユニット）
５０      ガイド溝（ガイド部材、巻き出し機構）
５６      第１アーム（巻き出し機構）
５８      第２アーム（巻き出し機構）
６０      被駆動軸（巻き出し機構）
６６      駆動モータ（巻き出し機構）
７０      マガジン
７２Ｕ    上カートリッジ
７２Ｌ    下カートリッジ
Ｔ        記録テープ
【図１】
2012216256.tif 000003
【図２】
2012216256.tif 000004
【図３】
2012216256.tif 000005
【図４】
2012216256.tif 000006
【図５】
2012216256.tif 000007
【図６】
2012216256.tif 000008
【図７】
2012216256.tif 000009
【図８】
2012216256.tif 000010